(57)【要約】      （修正有）【課題】軒樋の中に堆積してしまう落葉や砂塵類、火山灰、土類を、カバーで除去し、更に、カバーで除去できない小さな落葉や砂塵類を、雨水の流れによって掃除し、軒樋内へ砂塵類を集堆積しないようにする構造を提供する。【解決手段】軒樋を、内樋カバー２と軒樋から構成する、軒樋は、断面略Ｖ字形状をし、内樋３１と外樋３２の２重構造とし、内樋３１は、集水ます５に向かって２０／１０００から３０／１０００の勾配を付けて配置し、更に、内樋３１には、傾斜部を形成し、内樋３１の傾斜部の端部にある開口部から外樋３２に流入する雨水と内樋３１へ流入する雨水のあふれを防ぐための内樋３１の傾斜部の傾斜面両端にあけた複数の孔から流下する雨水によって、外樋３２へ勢い良く雨水を流入させ、流速で軒樋内を自動的に掃除し、軒樋内で砂塵類を堆積しないように流出させる。【選択図】図１
2014167225.tif 000002
【特許請求の範囲】
【請求項１】
内樋に網目状のカバーが裁置された、断面略Ｖ字形状の内樋、外樋の２重構造から成る軒樋において、内樋の傾斜部の傾斜面には両端に複数の孔が穿設され、内樋は、内樋の流れ方向に向かって下り勾配を２０／１０００から３０／１０００として外樋内に裁置され、内樋の勾配により高低差が設定され、内樋の流れ方向端部に開口部が形成され、開口部から雨水が外樋に注がれることを特徴とするカバー付き２重構造から成る軒樋。
【請求項２】
前記軒樋における外樋の断面形状が、角、半丸、略Ｕ字のいずれかの形状から成ることを特徴とする請求項１記載のカバー付き２重構造から成る軒樋。
【請求項３】
前記内樋のカバーが、複数の孔が穿設された形状である事を特徴とした請求項１及び２に記載のカバー付き２重構造から成る軒樋。
【発明の詳細な説明】
【技術分野】
【０００１】
本発明は、特に、海浜や山間部に近い家屋において、軒樋の中に集積してしまう落葉や砂塵類、火山灰、土類等の集堆積物を、屋根に降雨する雨水の自然の流れによって流下させ、軒樋の機能を損なわないように軒樋内を自動的に掃除し、軒樋内へ砂塵類等を集堆積しないよう流出させる構造の軒樋に関するものである。
【背景技術】
【０００２】
従来の軒樋は、通常その上部が開口状になっており、当該上方開口部へ落葉や砂塵類、火山灰、土類等が入り徐々に集堆積し、日が経つにつれヘドロ状態の汚泥になっている。
更に、軒樋は、施工方法として水平状に取付けするか、若しくは傾斜状に取付けされていた。
従って、軒樋が水平状に取付け施工されているときは、雨水のみが排出し、軒樋の底部に落葉や砂塵類、火山灰、土類等が徐々に集堆積し、軒樋としての排水機能が発揮できないため、その集堆積物を除去するのに、梯子を掛け、人の手若しくは棒等を介して取り出し清掃する必要があった。
【０００３】
又、軒樋が傾斜状に取付け施工されているときは、傾斜状の軒樋の傾斜下方部に落葉や砂塵類、火山灰、土類が徐々に集堆積し、軒樋がつまり易く、雨水が下方部からこぼれ、重量により破損の恐れがあり集堆積物を除去する方法について有効な打開策がなかった。
【０００４】
そこで、実用新案登録第３１２１２９５号公報には、建物等の軒樋において雨水が流れる底面が平面状の角樋や半円状の軒樋の底面や側面に流れ方向と同じ方向に突起を複数本つけた樋が開示されている。
【特許文献１】実用新案登録第３１２１２９５号（第４頁、第１図）
【０００５】
その他、雨樋カバー付き雨樋内に堆積する砂塵類等を、カバー付き雨樋内に配置する放水可能な放水パイプを介して強制的に自動的に流出し清掃する方法が開示されている。
【特許文献２】特開２００９−６８２８３号（第９頁、第１図）
【発明の開示】
【発明が解決しようとする課題】
【０００６】
しかしながら、実用新案登録第３１２１２９５号公報提示の製品では、軒樋にカバーが無いため、落葉等が自然に集積してしまう。又、その軒樋は、底面や側壁面に突起が複数形成され、その突起によって砂、火山灰、土類を分割・軽量化するが、軒樋の取付けが水平状か、若しくは傾斜状に取付けされているため、大きな落葉や小さな植物や砂等が徐々に集堆積し、軒樋がつまり、集堆積物の除去には完全に対応するものではなかった。
【０００７】
一方、特開２００９−６８２８３号では、雨樋カバー付き雨樋内に堆積する砂類を、カバー付き雨樋内に配置する放水可能な放水パイプを介して強制的、自動的に流出する手法であるが、軒樋の中に放水パイプを介すため、放水パイプを施工する手間が発生し、施工価格の高騰を招く。又、一定期間経過後に放水して蓄積物の除去をしなければならず別途手間を要した。更に、どの程度放水すれば除去できるかわからないなど、メンテナンス性にも課題が認められた。
【０００８】
そこで、従来の軒樋と比較して、本発明の第１の目的は、軒樋の中に集堆積してしまう落葉や砂塵類、火山灰、土類等を、軒樋の内樋上部に裁置したカバーで除去し、更に、軒樋の中へ進入してしまうカバーで除去できない小さな落葉や砂塵類、火山灰、土類を内樋に付けられた勾配を利用して屋根に降雨する雨水の自然の流れによって軒樋内を自動的に掃除し、軒樋内へ砂塵類等を堆積しないように流出させる構造を提供することにある。
【課題を解決するための手段】
【０００９】
上記目的を達成するための手段として、本発明の軒樋は、内樋カバーと断面略Ｖ字形状の内樋、外樋の２重構造から成る軒樋で構成され、内樋には、網目状若しくは複数の孔が穿設された形状のカバーが裁置され、更に、内樋は２本乃至３本連続して形成し、内樋の流れ方向に向かって下り勾配を２０／１０００（長さ１０００ミリメートルに対して２０ミリメートル傾斜）から３０／１０００(長さ１０００ミリメートルに対して３０ミリメートルの傾斜)として外樋内に裁置され、内樋の勾配により外樋との間に高低差が設定され、内樋の流れ方向端部には、開口部が形成され、開口部から雨水が外樋に注がれ、内樋の雨水が勢いよい良く外樋に注がれる構造から成る軒樋である。
【００１０】
（Ａ）  断面略Ｖ字形状の樋の材質は、合成樹脂又は金属から成る。
（Ｂ）  内樋のカバーは網目状若しくは複数の孔が穿設されている。
（Ｃ）  雨水は内樋の下り勾配を利用してその流れ方向端部にある開口部か
ら外樋に流入し勢い良く注がれる。
よって、軒樋内の集堆積物の流出を容易に行うことができる。
更に、前記軒樋の２重構造の外樋の形状を角、半丸、略Ｕ字形状を選択でき、使用者の好みによって外樋の形状が選べる。
又、前記内樋の傾斜部の傾斜面両端には、孔が複数あいており、内樋へ流入する雨水の溢れ（オーバーフロー）を防ぐと共に、孔から流下する雨水は、高い位置の内樋より低い位置の外樋へ勢い良く流入し、外樋の内側の集堆積物を撹拌し、流下を更に高める効果を有するものである。
【発明の効果】
【００１１】
請求項１の本発明は、降雨と共に軒樋の中に集堆積してしまうおそれのある落葉や砂塵類、火山灰、土類等を、軒樋の内樋上部に裁置したカバーで除去し、更に、軒樋の中へ進入してしまうカバーで除去できない小さな落葉や砂塵類、火山灰、土類等は、屋根に降雨する雨水を内樋を通して流下し、雨水の自然の流れと断面略Ｖ字形状の外樋との２重構造の軒樋で自動的に掃除できる。
【００１２】
即ち、この断面略Ｖ字形状の２重構造の軒樋は、内樋を２本乃至３本連続して形成して、集水ますやエルボ、縦樋等に向かって下り勾配を２０／１０００から３０／１０００として、外樋内に裁置させた事を特徴とした断面略Ｖ字形状の内樋と外樋で構成され、外樋と内樋の内角は、外樋の方が鋭角に設定され、２重構造の軒樋（外樋と内樋）の接触部分は耳部のみである。
【００１３】
まず、断面略Ｖ字形状の内樋は、Ｖ字形状の底面へ雨水を集中させ、更に、集水ます等に向かって下り勾配を２０／１０００から３０／１０００傾斜した勾配であり、この傾斜のある内樋を組み合わせた事によって、雨水は、連続した内樋の高低差が設定された流れ方向端部にある開口部に勢い良く流入させる効果を発揮する。
【００１４】
更に、内樋へ流入する雨水の溢れを防ぐために内樋の傾斜部の傾斜面の両端にあけた複数の孔によって、孔から外樋に流下する雨水は、高い位置の内樋より低い位置の外樋へ勢い良く流入し、外樋の内側の集堆積物を撹拌し、流下を更に高める効果を有するものである。
【００１５】
又、内樋内の砂塵類は集堆積しないように内樋の勾配により流出させ、更に、内樋の流れ方向端部の開口部から外樋へ流入する小さな落葉や砂塵類、火山灰、土類も断面略Ｖ字形状の外樋でもＶ字形状の底面へ雨水を集中させ、流水力を高めることによって、自動的に掃除でき、メンテナンスが簡便で効率性を追求し、安価に提供できるものである。
【００１６】
請求項２の発明は、前記２重構造の軒樋の外樋を、角、半丸、略Ｕ字形状を選定でき、使用者の好みによって外樋の形状を選択できる。
【００１７】
更に、請求項２の発明は、前記請求項１記載の発明の効果と同じ効果を有している。
【００１８】
請求項３の発明は、前記内樋のカバーの形状を複数の孔が穿設された形状である事を特徴としたものである。
【００１９】
請求項３の発明は、前記請求項１記載の発明の効果と同じ効果を有している。
【実施例】
【００２０】
以下、本発明を添付した図面に従って詳説する。
図１は、本発明に係る軒樋３を家屋の屋根１に施工したときの断面図である。
図２は、図１の拡大断面図である。
図３は、カバー２と外樋３２、内樋３１の分解斜視図でカバー２と内樋３１が２本の場合の図である。
図４は、図３の内樋３１の傾斜部３１１の傾斜面両端に複数の孔３１３を設けた分解斜視図である。
図５は、中間位置をＡとし、雨水の流水方向Ｂを示し、カバー２を外し、内樋３１を４本と外樋３２を２本連結させ、集水ます５の位置を示した図であり、右半分は、外樋３２と集水ます５を外した図である。
図６は、図５の右半分に外樋３２と集水ます５を取り付け表示し、外樋３２を透視した図であり、右半分の内樋３１を表示した図である。
図７から図９は、外樋３２と内樋３１の断面図で、軒樋３に対し、内樋の勾配を示し、図７は、左端面へ向かって下り勾配を流れ方向へ２０／１０００としたときの外樋３２と内樋３１の中間断面図で、図８は、外樋３２と内樋３１の左端面図、図９は、外樋３２と内樋３１の右端面図である。
図１０は、軒樋２の外樋３２を角、半丸、略Ｕ字形状と選定することができるための実施例の形状断面図である。
屋根１は野地板１１に取り付けられ、その先端より軒樋３の上方に一定の寸法（隙間）をおいて設けられたカバー２の表面たる上面に雨水や落葉、砂塵類、火山灰、土類が流下する。
【００２１】
このカバー２は、内樋の任意の部位に裁置可能であり、予想される箇所に予め裁置でき、カバーには網目状又は複数の孔２３が形成されており、網目状又は複数の孔２３によって落葉や砂塵類、火山灰、土類は退けられ、除去できない細かい落葉や砂塵類、火山灰、土類が網目又は複数の孔２３を通して流下して内樋３１へ流入する。
この網目状又は複数の孔２３は、雨水が軒樋３に自然に流下する程度であれば、特に、その形状の大きさを限定されるものではないが、本実施例の場合は、網目又は複数の孔２３の寸法を５ミリメートル以下にしてある。（図３、図４）
【００２２】
図５と図６では、樋の中間位置をＡとし、雨水の流水方向Ｂを示し、外樋３２が２本に対し、内樋３１は４本ないし６本（図面では４本）連続して形成し、集水ます５に向かって下り勾配を２０／１０００から３０／１０００として外樋３２内に裁置され、集水ます５に向かって下り勾配の内樋３１の流れ方向端部３１４には、高低差が設定でき、開口部３１５が形成される。
【００２３】
内樋３１へ流入した細かい落葉や砂塵類、火山灰、土類は、断面略Ｖ字形状の内樋３１の傾斜部３１１の傾斜面によって、雨水の流れとともに断面略Ｖ字形状の内樋３１内を傾斜部３１１の傾斜面に沿って勢い良く流れ、高低差が設定された内樋３１の流れ方向端部３１４に設けられた開口部３１５より外樋３２に流入する。
【００２４】
更に、内樋３１へ流入する雨水の溢れを防ぐための内樋３１の傾斜部３１１の傾斜面両端にあけた複数の孔３１３から流下する雨水が、高い位置の内樋３１より低い位置の外樋３２へ勢い良く流入し、外樋３２の内側の集堆積物を撹拌し、流下を更に高め、続いて、断面略Ｖ字形状の外樋３２に流入し、外樋３２でもＶ字形状の底面へ雨水を集中させ、流水力を高め、集水ます５、エルボ６、縦樋７を伝って排水され、軒樋３の内部は自動的に掃除され、軒樋３内へ落葉や砂塵類、火山灰、土類等を集堆積しないように流出させることができる。（図５、図６）
【００２５】
一方、上方が開口した断面略Ｖ字形状の外樋３２は、長手方向の上部に前耳部３２１、後耳部３２２が折り曲げ形成されている。（図２）
この後耳部３２２は、施工の際に金具４の係合部４２に係合し、前耳部３２１は金具４の折り曲げ片４３が折り曲げられて固定されるものである。
【００２６】
ところで、施工に際しては、金具４の固定部４１を軒先の鼻隠し板１２の所定位置に固定しておき、次に、この金具４に形成された係合部４２に、断面略Ｖ字形状の外樋３２の後耳部３２２を金具４の固定部４１に係合させ、次いで、前耳部３２１は金具４の折り曲げ片４３にセットされ、内樋３１の上部傾斜片３１２と一緒に折り曲げられて固定されるものである。このときの外樋３２は集水ます５に向かっての下り勾配は４／１０００の設置が建物の美観上望ましい。（図２）
【００２７】
次に、断面略Ｖ字形状の外樋３２の前耳部３２１、後耳部３２２の上部へ集水ます５に向かって下り勾配を２０／１０００から３０／１０００として傾斜した事を特徴とする断面略Ｖ字形状の内樋３１の上部傾斜片３１２が滑り込むように係合部４２と挟み込み固定され、次いで、外樋前耳部３２１と折り曲げ片４３の間に折り曲げられて固定され、軒樋３は２重構造に設置される。（図２）
【００２８】
カバー２は折り曲げ片４３にカバー耳部２１を引っ掛け、傾斜させて施工し、カバー傾斜片２２を釘８によって、野地板１１に固定するものである。このカバー２では、５ミリメートル以上の砂塵類、火山灰、土類を軒樋３内に流下させないことを目的として設置するため、網目又は複数の孔２３があいており、その大きさは５ミリメートル以下が望ましい。
【００２９】
従って、この傾斜させたカバー２の設置傾斜角は、屋根１の傾斜角より鈍角が望ましく、そうすれば屋根１の延長としてカバー２の存在が見えず、軒先の見栄えも良くなるからである。しかし、鈍角であっても５ミリメートル以上の砂塵類、火山灰、土類をカバー２の上部に滞留させない角度に設定することも必要である。
【００３０】
即ち、屋根１の表面たる上面に雨水や落葉、砂塵類、火山灰、土類が流下し、カバー２の上面を通して、内樋３１へ流下し、内樋３１は集水ます５に向かって下り勾配を２０／１０００から３０／１０００として外樋３２内に裁置された事を特徴とし、断面略Ｖ字形状の内樋３１内の傾斜部３１１の傾斜面によって、雨水の流れは、図５又は図６に示したＢ方向へ向かって勢い良く流れ、内樋３１の高低差が設定された流れ方向端部３１４の開口部３１５より外樋３２に流入し、続いて、断面略Ｖ字形状の外樋３２に流下する。
【００３１】
更に、内樋３１へ流入する雨水の溢れを防ぐための内樋３１の傾斜部３１１の傾斜面両端にあけた複数の孔３１３により流下する雨水は、高い位置の内樋３１より低い位置の外樋３２へ勢い良く流入し、外樋３２の内側の集堆積物を撹拌し、流下を更に高め、断面略Ｖ字形状の外樋３２に流入し、外樋３２でもＶ字形状の底面へ雨水を集中させ、流水力を高め、集水ます５、エルボ６、縦樋７等を伝って排水され、軒樋３の内部は雨水の流れにより自動的に掃除され、軒樋３の内部へ落葉、砂塵類、火山灰、土類等を集堆積せず、雨水が流下することとなる。（図１、図５、図６）
【００３２】
このとき、軒樋３の断面略Ｖ字形状の内樋３１を集水ます５に向かって下り勾配を２０／１０００から３０／１０００の勾配としたのは、社内実験結果により確認したからである。
社内実験では、断面略Ｖ字形状の外樋３２は、３６４０ミリメートルに対して集水ます５に向かって下り勾配を２０／１０００の勾配を断面略Ｖ字形状の２本連接の内樋３１（１本、１８００ミリメートル）に付けることにより、外樋と内樋間に高低差が設定され、５ミリメートル以下の砂塵類、火山灰、土類をスムーズに流下させることが出来た。一方、この勾配が２０／１０００以下だと高低差が小さく、砂塵類、火山灰、土類はスムーズに流下せず、軒樋３内に蓄積されてしまうことが確認された。
【００３３】
よって、落葉、砂塵類、火山灰、土類を軒樋３内に蓄積させず、外部へ容易に流下させるためには、断面略Ｖ字形状の外樋３２に対して断面略Ｖ字形状の内樋３１は、集水ます５に向かって下り勾配を２０／１０００以上の勾配が必要となる。又、外樋３２（１本、３６４０ミリメートル）内に裁置できる勾配として内樋３１（１本、１８００ミリメートル）は、３０／１０００の勾配までが望ましい結果が得られた。
【００３４】
このように、軒樋３の、断面略Ｖ字形状の内樋３１の雨水の流水方向Ｂは、図７から図９の断面図に示したとおり、軒樋３に対し、集水ます５を左端面に裁置したと仮定した場合、右端面の図９より、中間断面の図７を経由し、左端面の図８へと流入し、集水ます５に向かって下り勾配が２０／１０００の勾配であれば、内樋３１内を傾斜部３１１の傾斜面に沿って雨水の流れは勢い良く流れ、内樋３１の高低差が設定された流れ方向端部３１４の開口部３１５より外樋３２へ流入するので、当面の目的は達せられるので、軒樋３の美観上、集水ます５に向かって下り勾配は２０／１０００とすることが、望ましい。（図５、図６、図７〜図９）
【００３５】
上述の軒樋３は、断面略Ｖ字形状の外樋３２に対して断面略Ｖ字形状の内樋３１が集水ます５に向かって下り勾配を２０／１０００から３０／１０００とし、軒樋３を２重構造とし、外樋３２を角、半丸、略Ｕ字、略Ｖ字形状と選定することができるため使用する者の好みによって軒樋３の外観を自由に選択できることも可能である。（図１０）
【００３６】
更に、上述の軒樋３の断面略Ｖ字形状の内樋３１の傾斜部３１１の傾斜面両端に複数の孔３１３を設け、この複数の孔３１３によって、断面略Ｖ字形状の内樋３１より溢れ（オーバーフロー）出ようとする雨水を孔３１３によって、高い位置にある内樋３１より、断面略Ｖ字形状の低い位置にある外樋３２へ流下させることで、この流下した雨水は断面略Ｖ字形状の外樋３２の内側の集堆積物を撹拌させ流出を更に高める効果を有するものである。（図４）
【産業上の利用可能性】
【００３７】
叙述のように本発明に係るカバー付き２重構造から成る軒樋は、
１．雨水を流下するカバーを有し、カバーは、網目状又は複数の孔を施し、カバーにより、大きな落葉、砂塵類、火山灰、土類を軒樋内に流下させない。
２．これにより屋根から流下し、カバーを流入してくる雨水と小さな落葉、砂塵類、火山灰、土類のみを確実に軒樋へ誘導できる。
３．軒樋内に誘導された小さな落葉、砂塵類、火山灰、土類は、外樋に対して内樋が集水ます等に向かって下り勾配を２０／１０００から３０／１０００の勾配を付けることにより、内樋に高低差が設定され、雨水の流れで簡単に、内樋の内部及び内樋から流下する外樋を自動的に掃除し、軒樋内へ落葉、砂塵類、火山灰、土類を集堆積しないように流出させる極めて優れたものである。
４．内樋には、その傾斜部の傾斜面両端に孔を複数設け、この複数の孔によって、内樋へ流下する雨水の溢れ（オーバーフロー）を防止し、内樋から外樋へ流下した雨水は、外樋の内側の集堆積物を攪拌し、砂塵類、火山灰、土類類の流出を更に高める効果を有するものである。
５．製造工程も従来の軒樋と変わらず簡易なため、熟練度を要さずに均一な製品が容易にできる。
【図面の簡単な説明】
【００３８】
【図１】本発明に係る軒樋を施工したときの断面図である。
【図２】同上の拡大断面図である。
【図３】軒樋とカバー分解斜視図である。
【図４】軒樋の内樋に複数の孔を設けた分解斜視図である。
【図５】カバーを外し、外樋と内樋を連結させた図で右半分は、外樋と集水ま        すを外した内樋のみの図である。
【図６】カバーを外し、内樋と外樋を連結させた図で、右半分は、外樋を透視した図であり、集水ますを取り付けた図である。
【図７】外樋と内樋を流れ方向へ２０／１０００としたときの中間断面図である。
【図８】外樋と内樋の左端面図である。
【図９】外樋と内樋の右端面図である。
【図１０】軒樋の外樋を角、半丸、略Ｕ字形状の実施例の形状断面図である。
【符号の説明】
【００３９】
１・・・・屋根
１１・・・野地板
１２・・・鼻隠し板
２・・・・カバー
２１・・・カバー耳部
２２・・・カバー傾斜片
２３・・・網目状又は複数の孔
３・・・・軒樋
３１・・・内樋
３１１・・傾斜部
３１２・・上部傾斜片
３１３・・孔
３１４・・端部
３１５・・開口部
３２・・・外樋
３２１・・前耳部
３２２・・後耳部
４・・・・金具
４１・・・固定部
４２・・・係合部
４３・・・折り曲げ片
５・・・・集水ます
６・・・・エルボ
７・・・・縦樋
８・・・・釘
Ａ・・・・中間位置
Ｂ・・・・雨水の流水方向
【図１】
2014167225.tif 000003
【図２】
2014167225.tif 000004
【図３】
2014167225.tif 000005
【図４】
2014167225.tif 000006
【図５】
2014167225.tif 000007
【図６】
2014167225.tif 000008
【図７】
2014167225.tif 000009
【図８】
2014167225.tif 000010
【図９】
2014167225.tif 000011
【図１０】
2014167225.tif 000012